(57)【特許請求の範囲】
【請求項１】
表紙の背表紙部と、本とが、接着層で接着され、
前記接着層中に剥離層を形成するとともに、ＩＣタグを設け、
前記接着層は、前記背表紙部と前記ＩＣタグとを接着する第１の接着層と、
前記ＩＣタグと前記剥離層とを接着する第２の接着層と、
前記剥離層と前記本とを接着する第３の接着層と、
を具備することを特徴とする書籍。
【請求項２】
前記ＩＣタグは、ベースフィルムにアンテナとＩＣチップと表面層が設けられ、
前記表面層が前記第１の接着層と接着し、
前記ベースフィルムが前記第２の接着層と接着し、
前記剥離層と前記第２の接着層との接着強度が、前記第１の接着層、前記第２の接着層および前記第３の接着層とほかの部分との接着強度より弱いことを特徴とする請求項１記載の書籍。
【請求項３】
前記ＩＣタグは、ベースフィルムにアンテナとＩＣチップと表面層が設けられ、
前記ベースフィルムが前記第１の接着層と接着し、
前記表面層が前記第２の接着層と接着し、
前記剥離層と前記第２の接着層との接着強度が、前記第１の接着層、前記第２の接着層および前記第３の接着層とほかの部分との接着強度より弱いことを特徴とする請求項１記載の書籍。
【請求項４】
前記ＩＣタグは、ベースフィルムにアンテナとＩＣチップと表面層が設けられ、
前記ベースフィルムが前記第１の接着層と接着し、
前記表面層が前記第２の接着層と接着し、
前記表面層の前記第２の接着層側の面は、離型性能が付与されており、
前記表面層と前記第２の接着層との接着強度が、前記第１の接着層、前記第２の接着層および前記第３の接着層とほかの部分との接着強度より弱いことを特徴とする請求項１記載の書籍。
【請求項５】
前記剥離層と前記第２の接着層との接着強度または前記表面層と前記第２の接着層との接着強度が、前記表紙を構成する紙材の材料破壊強度よりも弱く、
前記表紙の材料破壊でなく、前記剥離層と前記第２の接着層間または前記表面層と前記第２の接着層間の界面剥離により、本と表紙が分離することを特徴とする請求項１ないし請求項４記載の書籍。
【請求項６】
本の背中部に接着剤を塗布する工程（ａ）と、
ベースフィルムと、ベースフィルム上に形成されたアンテナと、アンテナに接続するＩＣチップと、ＩＣチップとアンテナを覆う表面層と、からなるＩＣタグに、接着剤を介して剥離層が設けられたＩＣタグラベルを、剥離層を内側に向けて前記背中部に取り付ける工程（ｂ）と、
前記背中部に表紙を固定する工程（ｃ）と、
を具備することを特徴とする書籍の製造方法。
【発明の詳細な説明】
【技術分野】
【０００１】
本発明は、古紙リサイクルに適したＩＣタグ付き書籍などに関する。
【背景技術】
【０００２】
近年、バーコードに代えて、非接触で情報の読み出しおよび書き込みが可能なＩＣタグ（ＲＦＩＤタグ、無線タグ、非接触ＩＣ，非接触ＩＣタグなどと表現することもあるが、本明細書では総称して、「ＩＣタグ」とする。）を商品に付して市場で必要なさまざまな情報の管理を可能にすることが提案されている。書籍においても、ＩＣタグを取り付け、万引き防止機能を付与するのみならず、それらの流通や在庫・販売時点においても必要なさまざまな情報管理をすることが考えられている。そのため、書籍の販売段階でＩＣタグを取り付ける煩を避け、印刷または製本の工程でＩＣタグを取り付ける。（例えば、特許文献１参照）。
【０００３】
また、資源の有効利用を行うべく、書籍をはじめとする古紙から再生パルプを製造することが行われている。再生パルプの製造方法としては、古紙原料をパルパーで離解して繊維化する離解工程、得られたパルプ懸濁液からスクリーンにて異物を除去する除塵工程、パルプ懸濁液からフローテーターにてインキ成分を除去する脱墨工程を行い、漂白処理を経て再生パルプを得るのが一般的である（例えば、特許文献２参照）。
【０００４】
【特許文献１】特開２００４−２４９４９２号公報（第３頁）
【特許文献２】特開２００６−１８３２１０号公報（第２頁）
【発明の開示】
【発明が解決しようとする課題】
【０００５】
しかしながら、ＩＣタグのアンテナはアルミニウムなどの金属からなり、ＩＣタグのＩＣチップはシリコンからなるため、ＩＣタグのアンテナやＩＣチップは古紙再生工程においては不純物となる。アンテナやＩＣチップは、離解工程において１０〜２０μｍまで粉砕される。しかし、除塵工程においては、直径５０μｍ以上の不純物が除去され、脱墨工程においては、直径１０μｍ以下の粒子が除去される。そのため、古紙再生工程において、アンテナやＩＣチップの破片は除去されず、再生パルプに混入してしまうという問題があった。
【０００６】
そのため、ＩＣタグが再生パルプに混入しないように、古紙再生工程に入る前に、書籍の表紙をはぎ、ＩＣタグを表紙ごと除去することが考えられている。しかし、従来の書籍においては、ＩＣタグは、表紙にも丁合本にも強固に固定されているため、ＩＣタグは丁合本に残ることも多く、ＩＣタグの再生パルプへの混入を十分には防げなかった。
【０００７】
図７を用いて、より詳しく従来例を説明する。図７（ａ）が示すように、ＩＣタグ２は、表紙９と丁合本４の間にあり、ＩＣタグ２と表紙９の間を接着剤３にて、ＩＣタグ２と丁合本４の間を接着剤５にて固定されている。しかし、剥離層８が設けられていないため、どの界面も強固に固定されており、それらの接着強度は表紙９の紙材の材料破壊強度を上回っている。そのため、図７（ｂ）に示すように、表紙９の材料破壊により丁合本と表紙９は分離され、表紙９には、ＩＣタグ２が残らない。また、図７（ｃ）に示すように、丁合本４は、接着剤５とともにＩＣタグ２と接着剤３と材料破壊した紙２１を含んで分離される。そのため、このような丁合本４を古紙再生工程に送ると、再生パルプにＩＣチップ１３とアンテナ１５の破片が混入することになり、古紙再生を阻害してしまう。
【０００８】
本発明は、前述した問題点に鑑みてなされたもので、その目的とすることは、ＩＣタグを丁合本よりも表紙に強固に固定し、古紙再生工程の前処理段階において、ＩＣタグを表紙に残したまま、表紙と丁合本を分離できるようにＩＣタグを取り付けた書籍などである。
【課題を解決するための手段】
【０００９】
前述した目的を達成するために、第１の発明は表紙の背表紙部と、本とが、接着層で接着され、前記接着層中に剥離層を形成するとともに、ＩＣタグを設け、前記接着層は、前記背表紙部と前記ＩＣタグとを接着する第１の接着層と、前記ＩＣタグと前記剥離層とを接着する第２の接着層と、前記剥離層と前記本とを接着する第３の接着層と、を具備することを特徴とする書籍である。
【００１１】
また、前記ＩＣタグは、ベースフィルムにアンテナとＩＣチップと表面層が設けられ、前記表面層が前記第１の接着層と接着し、前記ベースフィルムが前記第２の接着層と接着し、前記剥離層と前記第２の接着層との接着強度が、前記第１の接着層、前記第２の接着層および前記第３の接着層とほかの部分との接着強度より弱いことが好ましい。
【００１２】
また前記ＩＣタグは、ベースフィルムにアンテナとＩＣチップと表面層が設けられ、前記ベースフィルムが前記第１の接着層と接着し、前記表面層が前記第２の接着層と接着し、前記剥離層と前記第２の接着層との接着強度が、前記第１の接着層、前記第２の接着層および前記第３の接着層とほかの部分との接着強度より弱いことが好ましい。
また、前記ＩＣタグは、ベースフィルムにアンテナとＩＣチップと表面層が設けられ、前記ベースフィルムが前記第１の接着層と接着し、前記表面層が前記第２の接着層と接着し、前記表面層の前記第２の接着層側の面は、離型性能が付与されており、前記表面層と前記第２の接着層との接着強度が、前記第１の接着層、前記第２の接着層および前記第３の接着層とほかの部分との接着強度より弱いことが好ましい。
【００１３】
また、前記剥離層と前記第２の接着層との接着強度または前記表面層と前記第２の接着層との接着強度が、前記表紙を構成する紙材の材料破壊強度よりも弱く、前記表紙の材料破壊でなく、前記剥離層と前記第２の接着層間または前記表面層と前記第２の接着層間の界面剥離により、丁合本と表紙が分離することが望ましい。
【００１５】
第２の発明は、本の背中部に接着剤を塗布する工程（ａ）と、ベースフィルムと、ベースフィルム上に形成されたアンテナと、アンテナに接続するＩＣチップと、ＩＣチップとアンテナを覆う表面層と、からなるＩＣタグに、接着剤を介して剥離層が設けられたＩＣタグラベルを、剥離層を内側に向けて前記背中部に取り付ける工程（ｂ）と、前記背中部に表紙を固定する工程（ｃ）と、を具備することを特徴とする書籍の製造方法である。
【発明の効果】
【００１６】
本発明によれば、書籍を丁合本と表紙に分離する際に、ＩＣタグは表紙と一緒に剥がれ、丁合本には残らない。そのため、丁合本は古紙リサイクルが可能であり、古紙リサイクルの際には再生パルプに不純物が入らない。
【発明を実施するための最良の形態】
【００１７】
以下図面に基づいて、本発明の実施形態を詳細に説明する。
【００１８】
第１の実施形態に係る書籍１について説明する。
なお、請求項における、第１の接着層は接着剤３によって、第２の接着層は、接着剤１０によって、第３の接着層は接着剤５によって、構成され、本は丁合本４によって構成される。
図１は、図３（ｅ）のＡ矢視図である。接着剤５を介して、丁合本４が表紙９に固定されている。ＩＣタグラベル６は、丁合本４の背中部と表紙９の背表紙部１２の間にあり、ＩＣタグ２と丁合本４の間には剥離層８を有している。ＩＣタグラベル６は、接着剤３から順に接着剤３・ＩＣタグ２・接着剤１０・剥離層８を順に積層した構造を持つ。
【００１９】
ＩＣタグ２は、図２（ａ）に示すように、ベースフィルム１７と、ベースフィルム１７上に形成されたアンテナ１５と、アンテナ１５に接続するＩＣチップ１３と、ＩＣチップ１３とアンテナ１５を覆う表面層１９と、からなる。
【００２０】
ベースフィルム１７の材料としては、樹脂フィルムや紙基材を用いることができる。樹脂フィルムとしては、ＰＥＴ（ポリエチレンテレフタレート）、ＰＥＴ‐Ｇ（テレフタル酸‐シクロヘキサンジメタノール‐エチレングリコール共重合体）、ＰＰ（ポリプロピレン）、ＰＥ（ポリエチレン）、ＰＣ（ポリカーボネート）、ＰＡ（ポリアミド）、ＰＰＳ（ポリフェニレンサルフイド）、ポリ塩化ビニル、塩化ビニル‐酢酸ビニル共重合体、セルロースジアセテート、セルローストリアセテート、ポリスチレン系、ＡＢＳ（アクリロニトリル‐ブタジエン‐スチレン共重合体）、ポリアクリル酸エステル、ポリエチレン、ポリウレタンなどの素材が使用される。また、紙基材としては、上質紙、コート紙、クラフト紙、グラシン紙、合成紙、ラテックスやメラミン含浸紙などが使用できる。
【００２１】
アンテナ１５は、ベースフィルム１７上にパターン形成されたアルミニウムや銅など金属の膜からなる、平面コイル状またはダイポール型のアンテナである。ＩＣチップ１３はアンテナ１５に、接続されている。
【００２２】
ＩＣチップ１３は、制御部、情報記憶のためのメモリ部、非接触型ＩＣ無線通信部などを備える。
【００２３】
表面層１９の材料としては、ベースフィルムに用いるのと同様の材料が使用できる。
【００２４】
接着剤３としては、天然ゴム系、ニトリルゴム系、エポキシ樹脂系、酢酸ビニルエマルジョン系、アクリル系、アクリル酸エステル共重合体系、ポリビニルアルコール系、フェノール樹脂系、等の各種材料を使用できる。
なお、接着剤３は、溶剤型や重合型、紫外線硬化型、エマルジョン型、熱溶融型等の各種のものをいい、いわゆる粘着剤型のものをも含むものとする。いずれであっても、双方の材料間を接着すれば目的を達成できるからである。
【００２５】
接着剤５としては、古紙再生工程で細裂化しにくく、スクリーンなどの除塵設備を通過しない難細裂性のホットメルト接着剤であれば特に限定されないが、より好ましくは、ポリウレタン樹脂、エチレン−酢酸ビニル共重合樹脂、塩化ビニル樹脂、酢酸ビニル樹脂、ポリエチレン樹脂、ポリプロピレン樹脂および、これらを混合した樹脂である。
【００２６】
接着剤１０としては、水または弱アルカリ性水溶液中で、細かく分散するとともに非粘着化する粘着剤からなり、再生パルプに悪影響を与えないものが好ましく、より好ましくは、ポリアクリル酸エステル、ニトリルゴム、天然ゴム、シリコーン、ポリ塩化ビニルなどの各種材料およびそれらの水性エマルジョン系の接着剤である。
【００２７】
剥離層８としては、一般的にはセパレート紙と呼ばれる離型性面を有する材料であって、より好ましくはグラシン紙、クレーコート紙またはシリコーン処理をした紙である。
【００２８】
接着剤１０−剥離層８間の接着強度は、接着剤１０が粘着剤からなっていること、剥離層８の離型面を接着していることから、接着剤３−表紙９間、接着剤３−ＩＣタグ２間、接着剤１０−ＩＣタグ２間、接着剤５−剥離層８間、接着剤５−丁合本４間のいずれの接着強度よりも弱い。
【００２９】
そのため、丁合本４と表紙９とを分離させる力がかかった場合、最も接着強度の弱い、接着剤１０−剥離層８間が界面剥離する。そのため、丁合本４にＩＣタグ２がついて分離することはなく、ＩＣタグ２は表紙９に残る。
【００３０】
図２（ａ）は、第１の実施の形態に係るＩＣタグラベル６ａを示す図である。ＩＣタグ２の下面には、表紙９と接着するための接着剤３が塗布されている。なお、接着剤３を塗布せず、ＩＣタグ２と表紙９の間に接着剤５を回りこませて、ＩＣタグ２と表紙９を固定してもよい。ＩＣタグラベルは、接着剤１０を塗布した剥離紙８の上に、アンテナ１５とＩＣチップ１３を形成したベースフィルム１７を設け、更にその上を表面層１９で覆った構成で流通する。そのため、そのようなＩＣタグラベルに、接着剤３を塗布し、その塗布面を下にして用いれば、容易にＩＣタグラベル６ａを得ることができる。
【００３１】
図２（ｂ）は、第２の実施の形態に係るＩＣタグラベル６ｂを示す図である。ＩＣタグラベル６ａのＩＣタグ２の上下が逆になっている。ＩＣタグラベル６ｂを得るためには、前述の形態で流通するＩＣタグラベルの表面層１９の上に接着剤１０を塗布し、剥離層８を貼付し、場合によりベースフィルム１７に接着剤３を塗布することが必要である。ＩＣタグラベル６ａを得るための工程よりも、ＩＣタグラベル６ｂを得るための工程のほうが多い。
【００３２】
また、第２の実施の形態において、表面層１９の上に、シリコーン処理などの表面処理を行い、離型性能を付与し、接着剤１０−表面層１９間の接着強度を弱めてもよい。
【００３３】
また、接着剤１０―表面層１９間の接着強度を弱めた場合、剥離層８を通常の紙材で構成し、接着剤１０−表面層１９間での層間剥離により、丁合本４と表紙９を分離してもよい。
【００３４】
図３は、書籍１の製本工程を示す図である。まず、図３（ａ）に示すように、丁合本４の背中部に、ロールコーター７を用いて接着剤５を塗布する。なお、丁合本４は、製本工程が完了するまで、クランパー（図示せず）により束ねられている。その後、図３（ｂ）に示すように、接着剤５が硬化する前にＩＣタグラベル６を丁合本４の背中部に貼付する。図１に示すように、ＩＣタグラベル６は、剥離層８を丁合本４に向けて固定する。図３（ｃ）に示すように、丁合本４の背中部に折り目１１を有した表紙９を固定する。図３（ｄ）に示すような、表紙９と丁合本４の位置関係になる。その後、図３（ｅ）に示すように、表紙９を折り目１１にしたがって折り、書籍１が製本される。
【００３５】
また、図４は、書籍１の別の製本工程を示す図である。まず、図４（ａ）に示すように、丁合本４の背中部に、ロールコーター７を用いて接着剤５を塗布する。その後、図４（ｂ）に示すように、折り目１１の間に予めＩＣタグラベル６を貼付した表紙９を、丁合本４に固定する。ＩＣタグラベル６は、剥離層８が丁合本４に向けて固定する。図４（ｃ）に示すような、表紙９と丁合本４の位置関係になる。その後、表紙９を折り目１１で折り曲げ、図４（ｄ）のように製本が完了する。図４（ｄ）のＢ矢視図は、図１に示すようになる。
【００３６】
図５において、古紙再生工程の前処理作業について説明する。図５（ａ）に示すように丁合本４に表紙９が固定されている書籍１を、丁合本４と表紙９に分離する。本実施の形態によれば、図５（ｂ）に示すように、丁合本４のみが取れ、古紙再生工程に入ることができる。一方、図５（ｃ）に示すように、表紙９にはＩＣタグ２が残り、表紙９は古紙再生工程に入れない。その結果、古紙再生工程に、ＩＣタグが混入することを防ぐことができ、不純物の含まれない再生パルプを得ることができる。
【００３７】
図６（ａ）は、図５（ｂ）のＣ矢視図であり、図６（ｂ）は、図５（ｃ）のＤ矢視図である。なお、表紙９の開き方は、作図の関係上図５と図６で異なっている。図６（ａ）に示すように、接着剤１０−剥離層８間で界面剥離が起こるが、接着剤３−ＩＣタグ２間は界面剥離が起きず、表紙９の紙材の材料破壊も起きないため、ＩＣタグ２は、表紙９に固定されたままである。一方、図６（ｂ）においては、丁合本４は、接着剤５と剥離層８を伴って分離する。丁合本４、接着剤５、剥離層８には、古紙再生工程を阻害するような物質は含まれていないため、そのまま古紙再生工程に入れることができ、不純物の含まれない再生パルプを得ることができる。
【００３８】
以上、添付図面を参照しながら、本発明にかかる書籍の好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００３９】
【図１】第１の実施の形態に係る書籍１の背表紙部の図。
【図２】（ａ）第１の実施の形態に係るＩＣタグラベル６ａを示す図。（ｂ）第２の実施の形態に係るＩＣタグラベル６ｂを示す図。
【図３】第１の実施の形態に係る書籍１の製本工程を示す図。
【図４】第１の実施の形態に係る書籍１の別の製本工程を示す図。
【図５】第１の実施の形態に係る書籍１の前処理作業を示す図。
【図６】第１の実施の形態に係る書籍１の分離した状態を示す図。
【図７】従来例を示す図。
【符号の説明】
【００４０】
１………書籍
２………インレット
３………接着剤
４………丁合本
５………接着剤
６………ＩＣタグ
７………ロールコーター
８………剥離層
９………表紙
１０………接着剤
１１………折り目
１２………背表紙部
１３………ＩＣチップ
１４………粘着層
１５………アンテナ
１７………ベースフィルム
１９………表面層
２１………材料破壊した紙
【図１】
0005233210.tif 000002
【図２】
0005233210.tif 000003
【図３】
0005233210.tif 000004
【図４】
0005233210.tif 000005
【図５】
0005233210.tif 000006
【図６】
0005233210.tif 000007
【図７】
0005233210.tif 000008